(57)【特許請求の範囲】
【請求項１】
屋根の妻に取り付けて破風を構成する破風構成体において、
棟から軒に至る部分が外面部、底面部、内面部及び内面部の縁辺から側方へ折れた接合面部により上方が開口した断面形状、軒から軒樋の側方に突出する先端部分が外面部、上面部及び内面部により軒前方と下方が開口した断面形状に形成されていて、棟から軒に至る部分の外面部と接合面部をたるき形の側面と底面に接合させるとともに先端部分をたるき形の前端から突出させてたるき形に取り付けられる破風装飾材と、
この装飾材の先端部分の開口縁辺部に嵌着して当該端部開口を閉塞する端部納め材と、
たるき形の破風装飾材が取り付けられた端部上面部を被覆するカバー材とからなる破風構成体。
【請求項２】
破風装飾材の開口を被閉し得る形状を有する基部の両縁に破風装飾材の縁辺部が嵌着する溝部が設けられ、且つその内側に適宜高さで接合片を突設して端部納め材が形成されてなる請求項１に記載の破風構成体。
【発明の詳細な説明】
【０００１】
本発明は、装飾した破風を構成する破風構成体に関する。
【０００２】
【従来の技術及び発明が解決しようとする課題】
図７に示されているように、屋根の妻７１を装飾するため、たるき形の表面に破風板状の装飾材７２を取り付けることがある。
この装飾材７２は鋼板を折り曲げ加工して成形されるが、鋼板を破風板状に折り曲げる加工、とりわけ軒に突出する先端部を板状の厚みのある箱型に成形する加工に著しく手間がかかって生産性が悪く、また、箱型に折り曲げられた先端部分において、鋼板同士が重なり合う接合部分に雨水が溜まって錆が発生しやすくなり、この錆によって却って屋根の美観を損ねてしまうことがあった。
【０００３】
そこで、本発明は、屋根の妻を装飾するため、たるき形に破風板状の装飾材を取り付けて破風を構成する場合に、装飾材を成形しやすくすると共に錆を発生し難い構造とし、施工後も破風の美観が維持されるようにすることを課題とする。
【０００４】
上記課題を解決するため、屋根の妻に取り付けて破風を構成する本発明のる破風構成体は、棟から軒に至る部分が外面部、底面部、内面部及び内面部の縁辺から側方へ折れた接合面部により上方が開口した断面形状、軒から軒樋の側方に突出する先端部分が外面部、上面部及び内面部により軒前方と下方が開口した断面形状に形成されていて、棟から軒に至る部分の外面部と接合面部をたるき形の側面と底面に接合させるとともに先端部分をたるき形の前端から突出させてたるき形に取り付けられる破風装飾材と、この装飾材の先端部分の開口縁辺部に嵌着して当該端部開口を閉塞する端部納め材と、たるき形の破風装飾材が取り付けられた端部上面部を被覆するカバー材とからなることを特徴とするものである。
【０００５】
これによれば、たるき形に破風装飾材を取り付け、たるき形の端部上面部を被覆するカバー材を取り付け、破風装飾材の開口した先端縁辺部に端部納め材を固着することにより、破風が構成される。破風装飾材は先端縁辺部を開口させてなり、従来の如く先端部を箱型とするための複雑な折り曲げ加工は不要なため簡易に加工でき、また、端部納め材も、予めプラスチックを射出成形して或いは鋼板を板金加工して、破風装飾材の開口した先端部に装着し得るよう形成しておくことにより、全体として加工コストが低廉となって施工効率が向上する。破風装飾材は先端部が開口し、鋼板同士の接合部分がないので、雨水が滞留してそこから錆が発生する虞れもなく、施工後も破風の美観を維持できる。錆を発生し難くするため、端部納め材はプラスチックを用いて成形するのが好ましい。
【０００６】
破風構成体に用いる破風の端部納め材は、破風装飾材の開口を被閉し得る形状を有する基部の両縁に破風装飾材の縁辺部が嵌着する溝部を設け、且つその内側に適宜高さで接合片を突設させて形成することができる。
【０００７】
これによれば、端部納め材の接合片の外側に破風装飾材の開口した先端縁辺部を重ね合わせ、これをそのまま押し込めば、溝部に破風装飾材の先端縁辺部が突入して端部納め材が破風装飾材の先端部に嵌着し、端部納め材全体で装飾材端部を閉塞する。
端部納め材は、破風装飾材の先端部の開口形状に沿った形状とすることができる。
【０００８】
【発明の実施の形態】
本発明の好適な実施の形態を図面を参照して説明する。
図１は本発明の一実施形態の破風構成体の外観図、図２は破風装飾材の切断端面図、図３は端部納め材の側面図、図４は端部納め材の切断端面図、図５は破風構成体を屋根に取り付けたときの軒の部分の部材の配置を示した図、図６は図５における屋根の上方側からみたときの部材の配置を示した図である。なお、各図において破風装飾材は、その先端部分のみが示され、屋根の棟側の部分は省略されている。
【０００９】
本形態の破風構成体は、屋根の妻のたるき形に取り付けられる破風装飾材１と、この装飾材の先端部に装着される端部納め材２から構成される。
【００１０】
破風装飾材１は、鋼板を用い、折り曲げ加工により、屋根の棟から軒樋の側方まで延びる破風板状に成形されている。
より詳しくは、一枚の長尺鋼板を折り曲げて、棟から軒までに至るまでの部分は、図２に示されているように、屋根の外側に露出する外面部１１、底面部１２、妻側となる内面部１３及び内面部の縁辺部から適宜な幅水平に延設させた接合面部１４により上方を開口した略Ｕ字状の断面となるように形成し、軒から軒樋の側方に突出する先端部１ａは、図１に示されているように、外面部１１、内面部１３及び上面部１５により下方と側方を開口した下向き略Ｕ字状の断面となるように形成してある。本形態の破風装飾材１に鋼板同士の重なり部分はない。
先端部１ａの外面部１１と内面部１３は、両面部の棟側の部分よりも幅を広くすると共に、その縁辺部を直角に切断し、上面部１５と連なる短尺の側辺部１１ａ，１３ａと、底面部１２と連なる長尺の底辺部１１ｂ，１３ｂとの間を開口した形状に設けてある。
【００１１】
端部納め材２は、プラスチックにより、破風装飾材１の開口した先端部１ａに嵌まり込み、この開口を被閉し得るよう略Ｌ字状に折曲した形状に形成されている。
より詳しくは、図３及び図４に示されているように、破風装飾材１の先端部１ａに装着し得るよう内外面部１１，１３間と略同幅の基部２１を、上記先端部１ａの直角に折れ曲がった側辺部１１ａ，１３ａ及び底辺部１１ｂ，１３ｂに沿って略Ｌ字状に折り曲げると共に、基部２１の両縁に破風装飾材１の縁辺部が嵌着する溝部２２，２２を設け、且つその内側に適宜高さで接合片２３，２３を平行に突設した形状に設けてある。
【００１２】
本形態の破風構成体の施工は、先ず、破風装飾材１を取り付けて行う。
破風装飾材１の取り付けは、図６に示されているように、屋根の妻側に露出したたるき形３の側面３ａに外側面部１１を接合させ、底面３ｂに接合面部１４を接合させ、それぞれに釘や鋲などの固着具４を打ちつけて行うことができる。
【００１３】
次いで、軒樋５の側方に突出した破風装飾材１の先端部１ａに端部納め材２を固着する。
破風装飾材１への端部納め材２の固着は接着剤を用いて行うが、この際、端部納め材２の接合片２３，２３の外側に破風装飾材１の内外面部１１，１３の側辺部１１ａ，１３ａと底辺部１１ｂ，１３ｂとを重ね合わせ、そのまま端部納め材２を押し込めば、両縁の溝部２２，２２に上記各縁辺部が突入して端部納め材２が先端部１ａに嵌着し、破風装飾材１の開口端部が端部納め材２で閉塞される。
【００１４】
さらに、図５に示されている如く、破風装飾材１、たるき形３及び屋根材６の上面部を充填材７とカバー材８とで被覆し、カバー材８の端部にコーキング剤９を充填して防水処理を施し、破風構成体の施工が完了する。
予め破風装飾材１の先端部１ａに端部納め材２を固着しておき、これをたるき形３に取り付けるようにしてもよい。
【００１５】
このように形成された本形態の破風構成体は、複雑な折り曲げ加工をしなくとも破風装飾材１を成形でき、且つ端部納め材２を後加工により取り付けることで構成されるので加工コストの低廉化が図れることは勿論、破風装飾材１に鋼板同士の接合部分がないので、雨水が滞留してそこから錆が発生する虞れもなく、施工後も破風の美観を継続的に維持できるものである。
なお、端部納め材２には、破風装飾材１の内部に流れ込んだ雨水を排出するための孔や溝を適宜設けることができる。
【００１６】
【発明の効果】
本発明の破風構成体によれば、装飾材の成形及び妻への施工を簡便に行うことができ、錆が発生し難く、施工後も破風の美観を継続的に維持できるものである。
【図面の簡単な説明】
【図１】本発明の一実施形態の破風構成体の外観図である。
【図２】図１のII−II線に沿った破風装飾材の切断端面図である。
【図３】図１の端部納め材の側面図である。
【図４】図３のIV−IV線に沿った端部納め材の切断端面図である。
【図５】破風構成体を屋根に取り付けたときの軒の部分の部材の配置を示した図である。
【図６】図５のVI−VI線に沿った切断断面図である。
【図７】破風板状の装飾材が取り付けられた家屋の外観図である。
【符号の説明】
1    破風装飾材
2    端部納め材
3    たるき形
4    固着具
5    軒樋
6    屋根材
7    充填材
8    カバー材
9    コーキング剤
【図１】
0003790376.tif 000002
【図２】
0003790376.tif 000003
【図３】
0003790376.tif 000004
【図４】
0003790376.tif 000005
【図５】
0003790376.tif 000006
【図６】
0003790376.tif 000007
【図７】
0003790376.tif 000008